(57)【要約】【課題】複数の光変調器を１つの基板に集積した装置を小型化しつつ、光学部品の損傷を防ぐこと。【解決手段】光送信装置は、基板と、第１のプリズムと、第２のプリズムとを有する。基板は、第１の波長の光を変調する第１の光変調器と、第２の波長の光を変調する第２の光変調器とが幅方向に沿って並列に設けられた基板である。第１のプリズムは、第１の光変調器により第１の波長の光が変調されて得られる第１及び第２の出力光の光路を基板の幅方向に沿って第２の光変調器とは反対側に移動させる。第２のプリズムは、基板の長手方向に沿って第１のプリズムから離反する位置に配設され、第２の光変調器により第２の波長の光が変調されて得られる第３及び第４の出力光の光路を基板の幅方向に沿って第１の変調器とは反対側に移動させる。【選択図】図１
2015172630.tif 000002
【特許請求の範囲】
【請求項１】
第１の波長の光を変調する第１の光変調器と、第２の波長の光を変調する第２の光変調器とが幅方向に沿って並列に設けられた基板と、
前記第１の光変調器により前記第１の波長の光が変調されて得られる第１及び第２の出力光の光路を前記基板の幅方向に沿って前記第２の光変調器とは反対側に移動させる第１のプリズムと、
前記基板の長手方向に沿って前記第１のプリズムから離反する位置に配設され、前記第２の光変調器により前記第２の波長の光が変調されて得られる第３及び第４の出力光の光路を前記基板の幅方向に沿って前記第１の変調器とは反対側に移動させる第２のプリズムと
を備えたことを特徴とする光送信装置。
【請求項２】
前記第２のプリズムは、前記基板の長手方向に沿って前記第１のプリズムから離反する位置に、前記基板の長手方向から見て前記第１のプリズムの一部と重なり合うように配設されることを特徴とする請求項１に記載の光送信装置。
【請求項３】
前記第１のプリズムと、前記第２のプリズムとは、前記基板の幅方向に沿った長さが異なることを特徴とする請求項１又は２に記載の光送信装置。
【請求項４】
前記基板と前記第１のプリズムとの間に設けられ、前記第１及び前記第２の出力光をそれぞれコリメートする第１及び第２のコリメートレンズと、
前記基板と前記第２のプリズムとの間に設けられ、前記第３及び前記第４の出力光をそれぞれコリメートする第３及び第４のコリメートレンズと
前記第１及び前記第２のコリメートレンズと、前記第３及び前記第４のコリメートレンズとを前記基板の幅方向に沿ってアレイ状に保持するコリメートレンズ保持部材と
をさらに備えたことを特徴とする請求項１〜３のいずれか一つに記載の光送信装置。
【請求項５】
前記第１のプリズム又は前記第２のプリズムから出力される前記第１及び前記第２の出力光又は前記第３及び前記第４の出力光を偏波合成する偏波合成部と、
前記基板、前記第１のプリズム、前記第２のプリズム及び前記偏波合成部を収容する筐体と、
前記第１及び前記第２の出力光又は前記第３及び前記第４の出力光が偏波合成されて得られる光を集光する集光レンズと、
前記筐体の外部に固定され、前記集光レンズを保持する保持部材と
をさらに備えたことを特徴とする請求項１〜４のいずれか一つに記載の光送信装置。
【請求項６】
前記基板、前記第１のプリズム及び前記第２のプリズムを収容する筐体と、
前記第１のプリズム又は前記第２のプリズムから出力される前記第１及び前記第２の出力光又は前記第３及び前記第４の出力光を偏波合成する偏波合成部と、
前記第１及び前記第２の出力光又は前記第３及び前記第４の出力光が偏波合成されて得られる光を集光する集光レンズと、
前記筐体の外部に固定され、前記偏波合成部と前記集光レンズとを一体的に保持する保持部材と
をさらに備えたことを特徴とする請求項１〜４のいずれか一つに記載の光送信装置。
【請求項７】
前記保持部材は、レーザ溶接により前記筐体の外部に固定されることを特徴とする請求項５又は６に記載の光送信装置。
【請求項８】
前記偏波合成部は、１／２波長板と、ＰＢＣ（Polarization  Beam  Combiner）プリズムとを含むことを特徴とする請求項５〜７のいずれか一つに記載の光送信装置。
【請求項９】
前記偏波合成部は、１／２波長板と、一軸結晶とを含むことを特徴とする請求項５〜７のいずれか一つに記載の光送信装置。
【請求項１０】
前記第１の波長の光を発する第１の光源と、
前記第２の波長の光を発する第２の光源と
をさらに備え、
前記筐体は、前記第１の光源及び前記第２の光源をさらに収容することを特徴とする請求項１〜９のいずれか一つに記載の光送信装置。
【発明の詳細な説明】
【技術分野】
【０００１】
本発明は、光送信装置に関する。
【背景技術】
【０００２】
光通信システムの高速化を実現するための伝送方式として、偏波多重方式が知られている。偏波多重方式とは、偏波が互いに直交する信号光を合成した偏波多重光を利用して二つの独立したデータを一度に伝送する伝送方式である。
【０００３】
偏波多重方式を採用した光送信装置では、所定の波長の光を変調する光変調器が搭載される。光変調器によって所定の波長の光が変調されて得られる２つの信号光は、互いに偏波を直交させた状態で合成され、偏波多重光として後段側の光伝送路へ出力される。
【０００４】
このような光送信装置では、通信の高速化を更に促進するための技術が種々検討されている。例えば、互いに異なる複数の波長にそれぞれ対応した複数の光変調器を１つの基板に集積する技術が知られている。この技術では、互いに異なる２つの波長の光をそれぞれ変調する２つの光変調器が基板の幅方向に沿って並列に設けられる。
【先行技術文献】
【特許文献】
【０００５】
【特許文献１】特開２００１−３６５０５号公報
【発明の概要】
【発明が解決しようとする課題】
【０００６】
しかしながら、上述した従来の技術では、複数の光変調器を１つの基板に集積した装置を小型化しつつ、光学部品の損傷を防ぐ点までは考慮されていない。
【０００７】
この点について説明する。複数の光変調器を１つの基板に集積するためには、基板の幅を増大することが考えられる。ただし、基板の幅が増大されると、装置全体の小型化が阻害される。さらに、基板の幅が増大されると、光変調器による光の変調に用いられる電気信号の伝搬距離が長くなるため、電気信号が減衰する。結果として、電気信号により光が変調されて得られる信号光の品質が劣化する。このような信号光の品質の劣化を回避するためには、基板の幅の増大を抑えることが好ましい。
【０００８】
これに対して、複数の変調器の各々の後段に光路変換プリズムと呼ばれる光学部品を設け、複数の変調器の各々から出力される信号光の光路の間隔を基板の幅方向に沿って拡げる構造が考えられる。この構造では、基板の幅が狭小化された場合であっても、光路変換プリズムよりも後段側に他の光学部品を配置するためのスペースが確保される。ただし、基板の幅が狭くなるほど、光路変換プリズムどうしが接触して破損する可能性が高まるという問題がある。
【０００９】
開示の技術は、上記に鑑みてなされたものであって、複数の光変調器を１つの基板に集積した装置を小型化しつつ、光学部品の損傷を防ぐことを目的とする。
【課題を解決するための手段】
【００１０】
本願の開示する光送信装置は、一つの態様において、基板と、第１のプリズムと、第２のプリズムとを有する。基板は、第１の波長の光を変調する第１の光変調器と、第２の波長の光を変調する第２の光変調器とが幅方向に沿って並列に設けられた基板である。第１のプリズムは、前記第１の光変調器により前記第１の波長の光が変調されて得られる第１及び第２の出力光の光路を前記基板の幅方向に沿って前記第２の光変調器とは反対側に移動させる。第２のプリズムは、前記基板の長手方向に沿って前記第１のプリズムから離反する位置に配設され、前記第２の光変調器により前記第２の波長の光が変調されて得られる第３及び第４の出力光の光路を前記基板の幅方向に沿って前記第１の変調器とは反対側に移動させる。
【発明の効果】
【００１１】
本願の開示する光送信装置の一つの態様によれば、複数の光変調器を１つの基板に集積した装置を小型化しつつ、光学部品の損傷を防ぐことができるという効果を奏する。
【図面の簡単な説明】
【００１２】
【図１】図１は、実施例１に係る光送信装置の構成例を示す図である。
【図２】図２は、実施例２に係る光送信装置の構成例を示す図である。
【図３】図３は、実施例３に係る光送信装置の構成例を示す図である。
【図４】図４は、実施例４に係る光送信装置の構成例を示す図である。
【図５】図５は、実施例５に係る光送信装置の構成例を示す図である。
【図６】図６は、実施例６に係る光送信装置の構成例を示す図である。
【発明を実施するための形態】
【００１３】
以下に、本願の開示する光送信装置の実施例を図面に基づいて詳細に説明する。なお、この実施例により開示技術が限定されるものではない。
【実施例１】
【００１４】
図１は、実施例１に係る光送信装置の構成例を示す図である。図１に示す光送信装置１０は、光源１１−１，１１−２と、接続部材１２と、変調用基板１３と、コリメートレンズ１４−１，１４−２と、コリメートレンズ１５−１，１５−２と、光路変換プリズム１６と、光路変換プリズム１７とを有する。また、光送信装置１０は、偏波合成器１８と、偏波合成器１９と、筐体２０と、集光レンズ２１と、レンズホルダ２２と、光ファイバ２３と、集光レンズ２４と、レンズホルダ２５と、光ファイバ２６とを有する。
【００１５】
なお、図１において、変調用基板１３の幅方向に沿ってｙ軸が定義され、変調用基板１３の長手方向に沿ってｘ軸が定義されるものとする。また、変調用基板１３の幅方向に沿って第２の光変調器１３２とは反対側が、ｙ軸の正方向であり、変調用基板１３の幅方向に沿って第１の光変調器１３１とは反対側が、ｙ軸の負方向であるものとする。また、変調用基板１３の長手方向に沿って光路変換プリズム１６とは反対側が、ｘ軸の正方向であり、変調用基板１３の長手方向に沿って光路変換プリズム１６の側が、ｘ軸の負方向であるものとする。
【００１６】
光源１１−１，１１−２は、互いに波長が異なる光を発する。具体的には、光源１１−１は、波長λ１の光を発し、光源１１−２は、波長λ１とは異なる波長λ２の光を発する。波長λ１の光及び波長λ２の光は、それぞれ、第１の波長の光及び第２の波長の光の一例である。
【００１７】
接続部材１２は、光源１１−１，１１−２と、変調用基板１３とを光学的に接続する部材である。光源１１−１から発せられる波長λ１の光は、接続部材１２を介して、後述する変調用基板１３上の第１の光変調器１３１へ入力される。光源１１−２から発せられる波長λ２の光は、接続部材１２を介して、後述する変調用基板１３上の第２の光変調器１３２へ入力される。
【００１８】
変調用基板１３は、中継基板１３３と接続される基板であり、中継基板１３３から供給される電気信号を用いて光を変調するための基板である。変調用基板１３には、第１の光変調器１３１と、第２の光変調器１３２とが、変調用基板１３の幅方向に沿って、すなわち、ｙ軸方向に沿って並列に設けられる。
【００１９】
第１の光変調器１３１は、接続部材１２を介して光源１１−１から入力される波長λ１の光を変調する。具体的には、第１の光変調器１３１は、光変調部１３１ａ及び光変調部１３１ｂを有する。光変調部１３１ａは、波長λ１の光が光カプラ等により分岐されると、分岐により得られる一方の波長λ１の光を中継基板１３３から供給される電気信号を用いて変調する。以下では、光変調部１３１ａにより波長λ１の光が変調されて得られる光を、第１の出力光と呼ぶ。光変調部１３１ａは、第１の出力光をコリメートレンズ１４−１へ出力する。
【００２０】
光変調部１３１ｂは、分岐により得られる他方の波長λ１の光を中継基板１３３から供給される電気信号を用いて変調する。以下では、光変調部１３１ｂにより波長λ１の光が変調されて得られる光を、第２の出力光と呼ぶ。光変調部１３１ｂは、第２の出力光をコリメートレンズ１４−２へ出力する。
【００２１】
第２の光変調器１３２は、接続部材１２を介して光源１１−２から入力される波長λ２の光を変調する。具体的には、第２の光変調器１３２は、光変調部１３２ａ及び光変調部１３２ｂを有する。光変調部１３２ａは、波長λ２の光が光カプラ等により分岐されると、分岐により得られる一方の波長λ２の光を中継基板１３３から供給される電気信号を用いて変調する。以下では、光変調部１３２ａにより波長λ２の光が変調されて得られる光を、第３の出力光と呼ぶ。光変調部１３２ａは、第３の出力光をコリメートレンズ１５−１へ出力する。
【００２２】
光変調部１３２ｂは、分岐により得られる他方の波長λ２の光を中継基板１３３から供給される電気信号を用いて変調する。以下では、光変調部１３２ｂにより波長λ２の光が変調されて得られる光を、第４の出力光と呼ぶ。光変調部１３２ｂは、第４の出力光をコリメートレンズ１５−２へ出力する。
【００２３】
コリメートレンズ１４−１，１４−２は、変調用基板１３と、光路変換プリズム１６との間に設けられ、光変調部１３１ａ及び光変調部１３１ｂから入力される第１及び第２の出力光をそれぞれコリメートする。
【００２４】
コリメートレンズ１５−１，１５−２は、変調用基板１３と、光路変換プリズム１７との間に設けられ、光変調部１３２ａ及び光変調部１３２ｂから入力される第３及び第４の出力光をそれぞれコリメートする。
【００２５】
光路変換プリズム１６は、コリメートレンズ１４−１，１４−２によりそれぞれコリメートされる第１及び第２の出力光の光路をｙ軸の正方向に移動させる。換言すれば、光路変換プリズム１６は、第１及び第２の出力光の光路と、第３及び第４の出力光の光路との間隔が拡がる方向に、第１及び第２の出力光の光路を移動させる。
【００２６】
光路変換プリズム１７は、コリメートレンズ１５−１，１５−２によりそれぞれコリメートされる第３及び第４の出力光の光路をｙ軸の負方向に移動させる。換言すれば、光路変換プリズム１７は、第１及び第２の出力光の光路と、第３及び第４の出力光の光路との間隔が拡がる方向に、第３及び第４の出力光の光路を移動させる。
【００２７】
また、光路変換プリズム１７は、変調用基板１３の長手方向、すなわち、ｘ軸方向に沿って光路変換プリズム１６から離反する位置に配設される。図１に示す例では、光路変換プリズム１７は、光路変換プリズム１６と光路変換プリズム１７とが接触しないように予め設定された距離Ｓだけ、ｘ軸の負方向に沿って光路変換プリズム１６から離反する位置に配設される。
【００２８】
また、光路変換プリズム１７は、ｘ軸方向に沿って光路変換プリズム１６から離反する位置に、ｘ軸方向から見て光路変換プリズム１６の一部と重なり合うように配設される。ｘ軸方向から見て光路変換プリズム１７が光路変換プリズム１６の一部と重なり合うことによって、ｙ軸の正方向側に存在する光路変換プリズム１６の端部からｙ軸の負方向側に存在する光路変換プリズム１７の端部までの距離が最小化される。
【００２９】
偏波合成器１８は、光路変換プリズム１６から出力される第１及び第２の出力光を偏波合成する。具体的には、偏波合成器１８は、１／２波長板１８１と、ＰＢＣ（Polarization  Beam  Combiner）プリズム１８２とを含む。１／２波長板１８１は、光路変換プリズム１６から出力される第１及び第２の出力光のうちいずれか一方の出力光の偏波を他方の出力光の偏波に対して９０度回転する。図１の例では、１／２波長板１８１は、光路変換プリズム１６から出力される第２の出力光の偏波を第１の出力光の偏波に対して９０度回転する。
【００３０】
ＰＢＣプリズム１８２は、１／２波長板１８１により偏波が回転された一方の出力光と、他方の出力光とを偏波合成することによって、偏波多重光を生成する。
【００３１】
偏波合成器１９は、光路変換プリズム１７から出力される第３及び第４の出力光を偏波合成する。具体的には、偏波合成器１９は、１／２波長板１９１と、ＰＢＣプリズム１９２とを含む。１／２波長板１９１は、光路変換プリズム１７から出力される第３及び第４の出力光のうちいずれか一方の出力光の偏波を他方の出力光の偏波に対して９０度回転する。図１の例では、１／２波長板１９１は、光路変換プリズム１７から出力される第４の出力光の偏波を第３の出力光の偏波に対して９０度回転する。
【００３２】
ＰＢＣプリズム１９２は、１／２波長板１９１により偏波が回転された一方の出力光と、他方の出力光とを偏波合成することによって、偏波多重光を生成する。
【００３３】
筐体２０は、接続部材１２、変調用基板１３、コリメートレンズ１４−１，１４−２、コリメートレンズ１５−１，１５−２、光路変換プリズム１６、光路変換プリズム１７、偏波合成器１８及び偏波合成器１９を収容する。筐体２０の側壁には、筐体２０の外部に配置され、光の変調に用いられる電気信号を発生する電気信号源（不図示）と、中継基板１３３とを電気的に接続するコネクタ２０ａが設けられる。
【００３４】
集光レンズ２１は、偏波合成器１８により第１及び第２の出力光が偏波合成されて得られる偏波多重光を光ファイバ２３に向けて集光する。
【００３５】
レンズホルダ２２は、筐体２０の外部に固定され、集光レンズ２１を保持する。レンズホルダ２２は、例えばレーザ溶接により筐体２０の外部に固定される。
【００３６】
光ファイバ２３は、集光レンズ２１により集光される偏波多重光を後段側に伝送する。
【００３７】
集光レンズ２４は、偏波合成器１９により第３及び第４の出力光が偏波合成されて得られる偏波多重光を光ファイバ２６に向けて集光する。
【００３８】
レンズホルダ２５は、筐体２０の外部に固定され、集光レンズ２４を保持する。レンズホルダ２５は、例えばレーザ溶接により筐体２０の外部に固定される。
【００３９】
光ファイバ２６は、集光レンズ２４により集光される偏波多重光を後段側に伝送する。
【００４０】
次に、実施例１の光送信装置１０による作用について説明する。光送信装置１０の光源１１−１から発せられる波長λ１の光は、接続部材１２を介して、変調用基板１３上の第１の光変調器１３１へ入力される。光源１１−２から発せられる波長λ２の光は、接続部材１２を介して、変調用基板１３上の第２の光変調器１３２へ入力される。そして、第１の光変調器１３１へ入力される波長λ１の光が光変調部１３１ａ及び光変調部１３１ｂにより変調されることによって、第１及び第２の出力光が得られる。一方、第２の光変調器１３２へ入力される波長λ２の光が光変調部１３２ａ及び光変調部１３２ｂにより変調されることによって、第３及び第４の出力光が得られる。
【００４１】
続いて、第１の光変調器１３１から出力される第１及び第２の出力光は、コリメートレンズ１４−１，１４−２によりコリメートされる。一方、第２の光変調器１３２から出力される第３及び第４の出力光は、コリメートレンズ１５−１，１５−２によりコリメートされる。
【００４２】
続いて、コリメートレンズ１４−１，１４−２によりコリメートされた第１及び第２の出力光の光路は、光路変換プリズム１６によりｙ軸の正方向に移動される。一方、コリメートレンズ１５−１，１５−２によりコリメートされた第３及び第４の出力光の光路は、光路変換プリズム１７によりｙ軸の負方向に移動される。すなわち、コリメートレンズ１４−１，１４−２によりコリメートされた第１及び第２の出力光の光路と、コリメートレンズ１５−１，１５−２によりコリメートされた第３及び第４の出力光の光路との間隔が拡がる。このため、変調用基板１３の幅が狭小化された場合であっても、光路変換プリズム１６及び光路変換プリズム１７よりも後段側に偏波合成器１８及び偏波合成器１９等の光学部品を配置するためのスペースが確保される。
【００４３】
ただし、変調用基板１３の幅が過度に狭くなるほど、光路変換プリズム１６と光路変換プリズム１７とが接触して破損する可能性が高まる。この点、実施例１の光送信装置１０では、光路変換プリズム１７が、変調用基板１３の長手方向、すなわち、ｘ軸方向に沿って光路変換プリズム１６から離反する位置に配設される。このため、変調用基板１３の幅が狭小化された場合であっても、光路変換プリズム１６と、光路変換プリズム１７との接触が回避される。
【００４４】
続いて、光路変換プリズム１６により光路が移動された第１及び第２の出力光は、偏波合成器１８により偏波合成される。一方、光路変換プリズム１７により光路が移動された第３及び第４の出力光は、偏波合成器１９により偏波合成される。
【００４５】
続いて、偏波合成器１８により第１及び第２の出力光が偏波合成されて得られる偏波多重光は、集光レンズ２１により光ファイバ２３に向けて集光される。一方、偏波合成器１９により第３及び第４の出力光が偏波合成されて得られる偏波多重光は、集光レンズ２４により光ファイバ２６に向けて集光される。
【００４６】
上述したように、実施例１の光送信装置１０は、波長λ１の光を変調する第１の光変調器１３１と、波長λ２の光を変調する第２の光変調器１３２とが幅方向に沿って並列に設けられた変調用基板１３を有する。また、光送信装置１０は、第１の光変調器１３１により波長λ１の光が変調されて得られる第１及び第２の出力光の光路を変調用基板１３の幅方向に沿って第２の光変調器１３２とは反対側に移動させる光路変換プリズム１６を有する。また、光送信装置１０は、第２の光変調器１３２により波長λ２の光が変調されて得られる第３及び第４の出力光の光路を変調用基板１３の幅方向に沿って第１の光変調器１３１とは反対側に移動させる光路変換プリズム１７を有する。そして、光路変換プリズム１７は、変調用基板１３の長手方向に沿って光路変換プリズム１６から離反する位置に配設される。
【００４７】
このため、実施例１によれば、変調用基板１３の幅が狭小化された場合であっても、光路変換プリズム１６と、光路変換プリズム１７との接触が回避される。結果として、実施例１によれば、第１の光変調器１３１と第２の光変調器１３２とを１つの変調用基板１３に集積した光送信装置１０を小型化しつつ、光路変換プリズム１６及び光路変換プリズム１７の損傷を防ぐことができる。さらに、実施例１によれば、変調用基板１３の幅を可及的に狭小化することができるので、変調用基板１３上の第１の光変調器１３１及び第２の光変調器１３２による光の変調に用いられる電気信号の伝搬距離を短縮化することができる。結果として、実施例１によれば、第１の光変調器１３１及び第２の光変調器１３２から出力される出力光の品質の劣化を抑制することができる。
【００４８】
また、実施例１の光送信装置１０では、光路変換プリズム１７は、変調用基板１３の長手方向に沿って光路変換プリズム１６から離反する位置に、変調用基板１３の長手方向から見て光路変換プリズム１６の一部と重なり合うように配設される。
【００４９】
このため、実施例１によれば、ｙ軸の正方向側に存在する光路変換プリズム１６の端部からｙ軸の負方向側に存在する光路変換プリズム１７の端部までの距離が最小化される。結果として、実施例１によれば、第１の光変調器１３１と第２の光変調器１３２とを１つの変調用基板１３に集積した光送信装置１０を変調用基板１３の幅方向に沿って小型化することができる。
【００５０】
また、実施例１の光送信装置１０では、レンズホルダ２２及びレンズホルダ２５が、レーザ溶接により変調用基板１３の外部に固定される。
【００５１】
このため、実施例１によれば、偏波多重光における偏波間の損失差が存在する場合に、レンズホルダ２２又はレンズホルダ２５の位置、及び、ファイバ２３又はファイバ２６の位置を調整することにより、偏波間の損失差を小さくすることができる。さらに、レーザ溶接の固定時にそれらの位置がずれた場合、追加溶接により、微調が可能である。結果として、実施例１によれば、偏波多重光における偏波間の損失差を各波長の光ごとに抑制することが可能である。
【００５２】
また、実施例１の光送信装置１０では、偏波合成器１８は、１／２波長板１８１と、ＰＢＣプリズム１８２とを含む。また、偏波合成器１９は、１／２波長板１９１と、ＰＢＣプリズム１９２とを含む。
【００５３】
このため、実施例１によれば、偏波合成器１８及び偏波合成器１９を小型化することができ、結果として、光送信装置１０を更に小型化することができる。
【実施例２】
【００５４】
次に、実施例２に係る光送信装置２１０について、図２を用いて説明する。図２は、実施例２に係る光送信装置の構成例を示す図である。実施例２に係る光送信装置２１０は、光路変換プリズムの形状等が実施例１と異なるだけであり、その他の構成は実施例１と同様である。したがって、以下では、実施例１と同様の構成については、同一の符号を付して説明を省略する。
【００５５】
図２に示すように、実施例２に係る光送信装置２１０では、光路変換プリズム１６と、光路変換プリズム１７とは、変調用基板１３の幅方向に沿った長さが異なる。例えば、図２の例では、ｙ軸方向に沿った光路変換プリズム１７の長さＬｐ２が、ｙ軸方向に沿った光路変換プリズム１６の長さＬｐ１よりも小さい。これにより、変調用基板１３と筐体２０のコネクタ２０ａとの間隔が小さくなる。
【００５６】
上述したように、実施例２の光送信装置２１０では、光路変換プリズム１６と、光路変換プリズム１７とは、変調用基板１３の幅方向に沿った長さが異なる。このため、実施例２によれば、変調用基板１３と筐体２０のコネクタ２０ａとの間隔を自由に調整することができ、他の光学部品の配置の自由度が高まる。結果として、実施例２によれば、第１の光変調器１３１と第２の光変調器１３２とを１つの変調用基板１３に集積した光送信装置２１０を更に小型化することができる。
【実施例３】
【００５７】
次に、実施例３に係る光送信装置３１０について、図３を用いて説明する。図３は、実施例３に係る光送信装置の構成例を示す図である。実施例３に係る光送信装置３１０は、複数のコリメートレンズがアレイ状に保持される点が実施例１と異なるだけであり、その他の構成は実施例１と同様である。したがって、以下では、実施例１と同様の構成については、同一の符号を付して説明を省略する。
【００５８】
図３に示すように、実施例３に係る光送信装置３１０は、コリメートレンズ保持部材３０をさらに有する。コリメートレンズ保持部材３０は、コリメートレンズ１４−１，１４−２と、コリメートレンズ１５−１，１５−２とをｙ軸方向に沿ってアレイ状に保持する。
【００５９】
上述したように、実施例３の光送信装置３１０は、コリメートレンズ１４−１，１４−２と、コリメートレンズ１５−１，１５−２とをｙ軸方向に沿ってアレイ状に保持するコリメートレンズ保持部材３０を有する。このため、実施例３によれば、コリメートレンズの実装時の作業性を向上することができる。
【実施例４】
【００６０】
次に、実施例４に係る光送信装置４１０について、図４を用いて説明する。図４は、実施例４に係る光送信装置の構成例を示す図である。実施例４に係る光送信装置４１０は、偏波合成器と集光レンズとが一体的に保持される点が実施例１と異なるだけであり、その他の構成は実施例１と同様である。したがって、以下では、実施例１と同様の構成については、同一の符号を付して説明を省略する。
【００６１】
図４に示すように、実施例４に係る光送信装置４１０では、筐体２０は、偏波合成器１８を収容しない。また、レンズホルダ２２は、偏波合成器１８と集光レンズ２１とを一体的に保持する。また、レンズホルダ２５は、偏波合成器１９と集光レンズ２４とを一体的に保持する。
【００６２】
上述したように、実施例４の光送信装置４１０では、レンズホルダ２２は、偏波合成器１８と集光レンズ２１とを一体的に保持する。また、レンズホルダ２５は、偏波合成器１９と集光レンズ２４とを一体的に保持する。このため、実施例４によれば、変調用基板１３の幅方向に沿って偏波合成器１８及び偏波合成器１９に相当する領域だけ筐体２０を小型化することができる。結果として、第１の光変調器１３１と第２の光変調器１３２とを１つの変調用基板１３に集積した光送信装置１０を変調用基板１３の幅方向に沿って小型化することができる。
【実施例５】
【００６３】
次に、実施例５に係る光送信装置５１０について、図５を用いて説明する。図５は、実施例５に係る光送信装置の構成例を示す図である。実施例５に係る光送信装置５１０は、偏波合成器の構成等が実施例１と異なるだけであり、その他の構成は実施例１と同様である。したがって、以下では、実施例１と同様の構成については、同一の符号を付して説明を省略する。
【００６４】
図５に示すように、実施例５の光送信装置５１０は、図１に示した偏波合成器１８及び偏波合成器１９に代えて、偏波合成器５８及び偏波合成器５９を有する。
【００６５】
偏波合成器５８は、光路変換プリズム１６から出力される第１及び第２の出力光を偏波合成する。具体的には、偏波合成器５８は、１／２波長板１８１と、一軸結晶５８２とを含む。１／２波長板１８１は、図１に示した１／２波長板１８１に対応する。
【００６６】
一軸結晶５８２は、偏波ごとに異なる屈折率により生じるウォークオフ角度を用いて、１／２波長板１８１により偏波が回転された一方の出力光と、他方の出力光とを偏波合成することによって、偏波多重光を生成する。
【００６７】
偏波合成器５９は、光路変換プリズム１７から出力される第３及び第４の出力光を偏波合成する。具体的には、偏波合成器５９は、１／２波長板１９１と、一軸結晶５９２とを含む。１／２波長板１９１は、図１に示した１／２波長板１９１に対応する。
【００６８】
一軸結晶５９２は、偏波ごとに異なる屈折率により生じるウォークオフ角度を用いて、１／２波長板１９１により偏波が回転された一方の出力光と、他方の出力光とを偏波合成することによって、偏波多重光を生成する。
【００６９】
上述したように、実施例５の光送信装置５１０では、偏波合成器５８は、１／２波長板１８１と、一軸結晶５８２とを含む。また、偏波合成器５９は、１／２波長板１９１と、一軸結晶５９２とを含む。このため、実施例５によれば、偏波合成器５８及び偏波合成器５９を小型化することができ、結果として、光送信装置５１０を更に小型化することができる。
【実施例６】
【００７０】
次に、実施例６に係る光送信装置６１０について、図６を用いて説明する。図６は、実施例６に係る光送信装置の構成例を示す図である。実施例６に係る光送信装置６１０は、光源１１−１，１１−２の配置態様等が実施例１と異なるだけであり、その他の構成は実施例１と同様である。したがって、以下では、実施例１と同様の構成については、同一の符号を付して説明を省略する。
【００７１】
図６に示すように、実施例６に係る光送信装置６１０では、筐体２０は、光源１１−１，１１−２をさらに収容する。また、光送信装置６１０は、接続部材１２に代えて、レンズ６１，６２を有する。レンズ６１は、光源１１−１から発せられる波長λ１の光を変調用基板１３上の第１の光変調器１３１へ入力する。レンズ６２は、光源１１−２から発せられる波長λ２の光を変調用基板１３上の第２の光変調器１３２へ入力する。
【００７２】
上述したように、実施例６の光送信装置６１０では、筐体２０は、光源１１−１，１１−２をさらに収容する。このため、実施例６によれば、第１の光変調器１３１と第２の光変調器１３２とを１つの変調用基板１３に集積した光送信装置６１０を、変調用基板１３の幅方向に沿って光源１１−１，１１−２に相当する領域の分だけ小型化することができる。
【符号の説明】
【００７３】
１０、２１０、３１０、４１０、５１０、６１０  光送信装置
１１−１、１１−２  光源
１３  変調用基板
１４−１、１４−２、１５−１、１５−２  コリメートレンズ
１６、１７  光路変換プリズム
１８、１９、５８、５９  偏波合成器
２０  筐体
２１、２４  集光レンズ
２２、２５  レンズホルダ
３０  コリメートレンズ保持部材
１３１  第１の光変調器
１３２  第２の光変調器
１８１、１９１  １／２波長板
１８２、１９２  ＰＢＣプリズム
５８２、５９２  一軸結晶
【図１】
2015172630.tif 000003
【図２】
2015172630.tif 000004
【図３】
2015172630.tif 000005
【図４】
2015172630.tif 000006
【図５】
2015172630.tif 000007
【図６】
2015172630.tif 000008